(57)【特許請求の範囲】
【請求項１】
給水源から供給された湯水を吐水する第一吐水部材と、該第一吐水部材よりも低い位置に配置されて前記湯水を吐水する第二吐水部材と、前記給水源と接続されて前記湯水を前記第一吐水部材または前記第二吐水部材に供給する流路切替部材と、前記第二吐水部材よりも高い位置に配置された前記第一吐水部材と前記流路切替部材とを接続する第一接続管と、前記第二吐水部材と前記流路切替部材とを接続する第二接続管と、前記給水源と前記流路切替部材とを接続する給水管と、を備えた吐水装置であって、
前記流路切替部材が、前記第一接続管と連通する第一内部流路と、前記第二接続管と連通する第二内部流路と、前記給水管と連通する供給流路と、該供給流路と前記第一内部流路または前記第二内部流路とを接続させる切替弁と、該切替弁と当接可能な弁座と、該切替弁を操作する操作ハンドルと、を有し、
前記切替弁は、前記操作ハンドルの操作によって、前記第一内部流路の上流側から下流側へ向かう方向に沿って移動し弁座と当接することで前記第一内部流路を閉塞させ、前記第一内部流路の下流側から上流側へ向かう方向に沿って移動し弁座から離間することで前記第一内部流路を開放し、
前記操作ハンドルが、止水時に前記第一内部流路を閉塞させる方向に前記切替弁を付勢する切替弁付勢機構を有し、
前記切替弁より下流側にある前記第一接続管と前記第一内部流路とからなる第一流路中に、止水時に前記第一接続管に残った残水による水頭圧によって前記切替弁が前記切替弁付勢機構の付勢力に逆らって前記弁座から離間することを防ぐための逆止弁が配置されていることを特徴とする吐水装置。
【請求項２】
前記逆止弁が、前記第一内部流路内に配置されていることを特徴とする請求項１に記載された吐水装置。
【請求項３】
前記流路切替部材が、前記切替弁の移動に応じて前記逆止弁と前記切替弁とのあいだに形成された水密空間を破壊する水密破壊機構を備えていることを特徴とする請求項１または請求項２に記載された吐水装置。
【請求項４】
前記水密破壊機構が、前記第一流路と前記流路切替部材の外部とを連通する水密破壊用逆止弁であり、
該水密破壊用逆止弁が、前記逆止弁と前記切替弁とのあいだに配置されていることを特徴とする請求項３に記載された吐水装置。
【請求項５】
前記水密破壊用逆止弁が、前記流路切替部材の外部と鉛直方向で連通する連通孔と、該連通孔を自重によって塞ぐ閉塞部材と、該閉塞部材を案内すると共に一端を前記連通孔と連通する案内路とを有していることを特徴とする請求項４に記載された吐水装置。
【請求項６】
前記逆止弁が、前記第一流路内を摺動自在であることを特徴とする請求項３に記載された吐水装置。
【請求項７】
前記逆止弁を所定の保持位置に保持する逆止弁付勢バネが、前記第一内部流路内に配置され、
前記逆止弁付勢バネの付勢力が、前記逆止弁の摺動抵抗および前記第一接続管内の水頭圧より大きいことを特徴とする請求項６に記載された吐水装置。
【発明の詳細な説明】
【技術分野】
【０００１】
本発明は、浴室等に設置され、複数の吐水形態を切替自在な吐水装置に関する。
【背景技術】
【０００２】
従来、ハンドシャワーからの吐水と吐水栓からの吐水とを切替弁によって切り替える吐水栓を備えた吐水装置が知られている（例えば、特許文献１）。
【０００３】
このような吐水装置は、使用者が操作ハンドルを押し下げることで吐水栓の吐水口から吐水が行われ、操作ハンドルを引き上げることでハンドシャワーからの吐水が行われ、いずれの状態においても吐水栓内の水圧により、使用者が常時操作ハンドルを触っていなくとも、吐水状態が継続される。
【先行技術文献】
【特許文献】
【０００４】
【特許文献１】特開平８−２０９８１号公報
【発明の概要】
【発明が解決しようとする課題】
【０００５】
しかしながら、上述した従来の吐水装置では、止水時にハンドシャワーと吐水栓とを接続する接続管内に残水が生じてしまい、この残水の水頭圧によって切替弁が動いてしまい、吐水口から残水が漏水されてしまうという問題があった。
【０００６】
そこで、本発明は、前述したような従来技術の問題を解決するものであって、すなわち、本発明の目的は、止水時において残水の漏水を抑制する吐水装置を提供することである。
【課題を解決するための手段】
【０００７】
請求項１に係る発明は、給水源から供給された湯水を吐水する第一吐水部材と、該第一吐水部材よりも低い位置に配置されて前記湯水を吐水する第二吐水部材と、前記給水源と接続されて前記湯水を前記第一吐水部材または前記第二吐水部材に供給する流路切替部材と、前記第二吐水部材よりも高い位置に配置された前記第一吐水部材と前記流路切替部材とを接続する第一接続管と、前記第二吐水部材と前記流路切替部材とを接続する第二接続管と、前記給水源と前記流路切替部材とを接続する給水管と、を備えた吐水装置であって、前記流路切替部材が、前記第一接続管と連通する第一内部流路と、前記第二接続管と連通する第二内部流路と、前記給水管と連通する供給流路と、該供給流路と前記第一内部流路または前記第二内部流路とを接続させる切替弁と、該切替弁と当接可能な弁座と、該切替弁を操作する操作ハンドルと、を有し、前記切替弁は、前記操作ハンドルの操作によって、前記第一内部流路の上流側から下流側へ向かう方向に沿って移動し弁座と当接することで前記第一内部流路を閉塞させ、前記第一内部流路の下流側から上流側へ向かう方向に沿って移動し弁座から離間することで前記第一内部流路を開放し、前記操作ハンドルが、止水時に前記第一内部流路を閉塞させる方向に前記切替弁を付勢する切替弁付勢機構を有し、前記切替弁より下流側にある前記第一接続管と前記第一内部流路とからなる第一流路中に、止水時に前記第一接続管に残った残水による水頭圧によって前記切替弁が前記切替弁付勢機構の付勢力に逆らって前記弁座から離間することを防ぐための逆止弁が配置されていることにより、前述した課題を解決するものである。
請求項１に係る発明の吐水装置によれば、第一接続管と第一内部流路とからなる第一流路中に逆止弁が配置されていることにより、止水した際の第一流路中における残水が逆止弁より上流側に流れず、第一流路中の水頭圧が切替弁に作用しなくなる。
したがって、切替弁付勢機構および切替弁による第一内部流路の閉塞が維持され、第一流路中の残水が第二吐水部材から漏水することを抑制することができる。
【０００８】
請求項２に係る発明は、請求項１に記載された吐水装置の構成に加えて、前記逆止弁が、前記第一内部流路内に配置されていることにより、前述した課題を解決するものである。
請求項２に係る発明の吐水装置によれば、請求項１に係る発明が奏する効果に加え、逆止弁が、第一内部流路内に配置されていることにより、切替弁と逆止弁とのあいだで形成される空間の体積が、第一接続管内に逆止弁が配置される場合に比べて小さくなる。
したがって、逆止弁が第一接続管内に配置される場合に比べて切替弁に作用する水頭圧が小さくなり、より確実に第一流路中の残水が第二吐水部材から漏水することを抑制することができる。
【０００９】
請求項３に係る発明は、請求項１または請求項２に記載された吐水装置の構成に加えて、前記流路切替部材が、前記切替弁の移動に応じて前記逆止弁と前記切替弁とのあいだに形成された水密空間を破壊する水密破壊機構を備えていることにより、前述した課題を解決するものである。
このように構成された請求項３に係る発明の吐水装置によれば、請求項１または請求項２に係る発明が奏する効果に加え、流路切替部材が、切替弁の移動に応じて逆止弁と切替弁とのあいだに形成された水密空間を破壊する水密破壊機構を備えていることにより、第一内部流路を開放させる方向に操作ハンドルを動かした際に、水密空間が破壊され、水密空間の膨張に対する反力が生じなくなる。
したがって、第一吐水部材からの吐水を選択する際に、切替弁付勢機構による付勢力よりも大きい力を加えるだけで第一吐水部材から吐水が行えるようになり、吐水装置の操作性をより向上させることができる。
【００１０】
請求項４に係る発明は、請求項３に記載された吐水装置の構成に加えて、前記水密破壊機構が、前記第一流路と前記流路切替部材の外部とを連通する水密破壊用逆止弁であり、該水密破壊用逆止弁が、前記逆止弁と前記切替弁とのあいだに配置されていることにより、前述した課題を解決するものである。
このように構成された請求項４に係る発明の吐水装置によれば、請求項３に係る発明が奏する効果に加え、水密破壊機構が、第一流路と流路切替部材の外部とを連通する水密破壊用逆止弁であることにより、第一内部流路を開放させる方向に操作ハンドルを動かした際に、水密空間へ向かって空気が流入する。
したがって、簡便な構造で、水密空間の水密性を失わせることができる。
【００１１】
請求項５に係る発明は、請求項４に記載された吐水装置の構成に加えて、前記水密破壊用逆止弁が、前記流路切替部材の外部と鉛直方向で連通する連通孔と、該連通孔を自重によって塞ぐ閉塞部材と、該閉塞部材を案内すると共に一端を前記連通孔と連通する案内路とを有していることにより、前述した課題を解決するものである。
このように構成された請求項５に係る発明の吐水装置によれば、請求項４に係る発明が奏する効果に加え、水密破壊用逆止弁が、流路切替部材の外部と鉛直方向で連通する連通孔と、この連通孔を自重により塞ぐ閉塞部材と、閉塞部材を案内すると共に一端を連通孔と連通する案内路とを有していることにより、止水時には自重および水密空間の水圧により閉塞部材が連通孔を閉塞し、切替弁を動かした際には閉塞部材が連通孔から離れて連通孔から外気を逆止弁と切替弁との間に流入させる。
したがって、簡便な構造で水密破壊用の逆止弁を構成することができる。
【００１２】
請求項６に係る発明は、請求項３に記載された吐水装置の構成に加えて、前記逆止弁が、前記第一流路内を摺動自在であることにより、前述した課題を解決するものである。
このように構成された請求項６に係る発明の吐水装置によれば、請求項３に係る発明が奏する効果に加え、逆止弁が、第一流路内を摺動自在であることにより、切替弁を動かした際に、逆止弁が摺動して供給流路と第一流路とが連通される。
したがって、新しい部材を設けることなく、逆止弁と切替弁とのあいだの水密空間の水密性を失わせることができる。
【００１３】
請求項７に係る発明は、請求項６に記載された吐水装置の構成に加えて、前記逆止弁を所定の保持位置に保持する逆止弁付勢バネが、前記第一内部流路内に配置され、前記逆止弁付勢バネの付勢力が、前記逆止弁の摺動抵抗および前記第一接続管内の水頭圧より大きいことにより、前述した課題を解決するものである。
このように構成された請求項７に係る発明の吐水装置によれば、請求項６に係る発明が奏する効果に加え、逆止弁の位置を保持する逆止弁付勢バネが、第一内部流路内に配置され、逆止弁付勢バネの付勢力が、逆止弁の摺動抵抗および記第一接続管内の水頭圧より大きいことにより、逆止弁の摺動によって供給流路と第一流路とが連通した後に第一流路への湯水の供給を止めると、逆止弁位置決めバネの付勢力によって逆止弁が所定の保持位置に戻る。
したがって、繰り返して逆止弁と切替弁とのあいだの水密空間の水密性を失わせることができる。
【発明の効果】
【００１４】
本発明によれば、止水時において残水の漏水を抑制する吐水装置を提供することができる。
【図面の簡単な説明】
【００１５】
【図１】本発明の第１実施形態である吐水装置の構成を示す概略構成図。
【図２】図１の流路切替部材の斜視断面図。
【図３】図１の流路切替部材を壁面に取り付けた状態の側面断面図。
【図４】図３の状態から切替弁を動かしてオーバーヘッドシャワーと給水源とを連通させた状態の側面断面図。
【図５】本発明の第２実施形態である吐水装置の流路切替部材を壁面に取り付けた状態の側面断面図。
【図６】本発明の第３実施形態である吐水装置の流路切替部材を壁面に取り付けた状態の側面断面図。
【発明を実施するための形態】
【００１６】
＜１．第１実施形態＞
図１および図４に基づいて、本発明の第１実施形態である吐水装置１００について説明する。
図１は本発明の第１実施形態である吐水装置の構成を示す概略構成図であり、図２は図１の流路切替部材の斜視断面図であり、図３は図１の流路切替部材を壁面に取り付けた状態の側面断面図であり、図４は図３の状態から切替弁を動かしてオーバーヘッドシャワーと給水源とを連通させた状態の側面断面図である。
【００１７】
＜１．１．吐水装置の構成＞
本発明の第１実施形態である吐水装置１００は、主に浴室に設置されるものである。
図１に示すように、吐水装置１００は、給水源Ｓから供給された湯水Ｈを吐水する第一吐水部材であるオーバーヘッドシャワー１１０と、このオーバーヘッドシャワー１１０とは異なる位置に配置されて湯水Ｈを吐水する第二吐水部材であるハンドシャワー１２０とを備えている。
さらに、吐水装置１００は、給水源Ｓと接続されて湯水Ｈをオーバーヘッドシャワー１１０またはハンドシャワー１２０に供給する流路切替部材１３０を備えている。
また、給水源Ｓは開閉機能を有しており、下流側（すなわち吐水装置１００）への湯水Ｈの供給を制御することができる。
【００１８】
次に、吐水装置１００のおおよその流路構成について説明する。
給水源Ｓ、オーバーヘッドシャワー１１０、ハンドシャワー１２０、流路切替部材１３０は、配管１４０によってそれぞれ接続されている。
具体的には、オーバーヘッドシャワー１１０と流路切替部材１３０とは第一接続管１４１で接続されており、ハンドシャワー１２０と流路切替部材１３０とは第二接続管１４２で接続されており、給水源Ｓと流路切替部材１３０とは給水管１４３で接続されている。
【００１９】
＜１．２．流路切替部材の構造＞
次に、図２乃至図４に基づいて、流路切替部材１３０の構造について詳説する。
【００２０】
流路切替部材１３０は、概ね円柱状の部材であり、壁面Ｗに固定される基部Ｂと、基部Ｂに取り付けられる流路切替部Ｃとから構成されている。
【００２１】
＜１．２．１．基部の構造＞
まず、図２および図３に基づいて、基部Ｂの構造について説明する。
基部Ｂは、壁面Ｗの裏側に取り付けられる円盤状の配管接続基材１３１と、この配管接続基材１３１に嵌挿される環状パッキンＰ１および概ね円環状の壁固定部材１３２とを備えている。
【００２２】
配管接続基材１３１は、壁面Ｗへ固定した際に壁面Ｗの裏側と接触する円盤状のフランジ部１３１ａと、このフランジ部１３１ａから背面（壁面Ｗの裏側方向）に突出する概ねＴ字状の流路部１３１ｂと、フランジ部１３１ａの中央から前面（壁面Ｗの表側方向）に向けて突出する円筒状の壁面挿入部１３１ｃと、この壁面挿入部１３１ｃの先端から前面に更に突出する突出部１３１ｄとを備えている。
【００２３】
フランジ部１３１ａには雌ねじの形成された被締結孔１３１ｅが複数形成されている。
流路部１３１ｂには、オーバーヘッドシャワー１１０と連通する流出孔１３１ｆが水平方向に２つ形成されており（図２参照）、これら２つの流出孔１３１ｆは対向する位置に配置されている。
さらに、流路部１３１ｂには、給水源Ｓから延びる給水管１４３と連通する流入孔１３１ｇが鉛直方向に形成されている。
壁面挿入部１３１ｃは、壁面Ｗに形成された開口Ｗｈの内径とほぼ等しい外径（開口Ｗｈと壁面挿入部１３１ｃとが嵌合できる程度）を有しており、開口Ｗｈに挿入される。
突出部１３１ｄは、前述のように壁面挿入部１３１ｃの先端から前面に突出しており、壁面Ｗよりも前方に突出している。
【００２４】
環状パッキンＰ１は、壁固定部材１３２と壁面Ｗとの間を密閉するものであり、その内径は壁面Ｗの開口Ｗｈの直径より大きい。
【００２５】
壁固定部材１３２の内径は、配管接続基材１３１の突出部１３１ｄの外径とほぼ等しい（壁固定部材１３２と配管接続基材１３１の突出部１３１ｄとが嵌合できる程度）である。
【００２６】
また壁固定部材１３２には、開口両端にはそれぞれ円形のフランジ（前端フランジ１３２ａ、後端フランジ１３２ｂ）が形成されている。
前端フランジ１３２ａは後端フランジ１３２ｂよりも直径が小さく、流路切替部Ｃを基部Ｂに取り付けた際に、後述する切替本体部材１３３と当接する。
また、前端フランジ１３２ａの外周端には雌ネジが形成されている。
【００２７】
後端フランジ１３２ｂは、基部Ｂを壁面Ｗに取り付けた際に環状パッキンＰ１と当接する。
また、後端フランジ１３２ｂには締結ボルト（図示されない）を貫通する貫通孔１３２ｃが複数形成されている。
【００２８】
ここで、上述のように構成された基部Ｂを壁面Ｗへ固定手順を説明する。
まず、配管接続基材１３１の壁面挿入部１３１ｃおよび突出部１３１ｄを壁面Ｗに予め形成しておいた開口Ｗｈに壁面Ｗの裏側から挿入する。
そして、壁面Ｗの表側から、配管接続基材１３１の突出部１３１ｄに環状パッキンＰ１および壁固定部材１３４を、この順番で嵌挿する。
そして、締結ボルトを貫通孔１３２ｃに通して、配管接続基材１３１のフランジ部１３１ａに形成された被締結孔１３１ｅに螺合させる。
締結ボルトを被締結孔１３１ｅに締結させることで、壁面Ｗが基部Ｂで挟持されるため、基部Ｂが壁面Ｗに固定される。
【００２９】
＜１．２．２．流路切替部の構造＞
続いて、流路切替部Ｃの構造について説明する。
流路切替部Ｃは、壁面Ｗの表側に取り付けられる概ね円柱状の切替本体部材１３３と、切替本体部材１３３の前方（壁面Ｗの表側）に配置された操作ハンドル１３４とから形成されている。
【００３０】
切替本体部材１３３は、後端側に形成された概ね円盤状のフランジ部１３３ａが壁固定部材１３２と結合することで壁面Ｗに固定される。
フランジ部１３３ａの後端側には円柱状の開口されており、フランジ部１３３ａからこの開口に向けて突出する係合部１３３ｂが形成されている。
この係合部１３３ｂには雄ネジが設けられており、前述の壁固定部材１３２の前端フランジ１３２ａの外周端に形成された雌ネジと螺合する。
【００３１】
なお、切替本体部材１３３と壁固定部材１３２との間からの漏水を防ぐために、切替本体部材１３３と壁固定部材１３２との間には環状パッキンＰ２が挟み込まれている。
【００３２】
また、切替本体部材１３３の長手方向の中心には切替本体部材１３３を貫通する開口空間ＣＳが形成されており、この開口空間ＣＳ内には様々な機能部品が収容される。
さらに、この開口空間ＣＳは、切替本体部材１３３の後端から長手方向中央付近まで延びる仕切り壁１３３ｃにより概ね二重構造となっている。
すなわち、開口空間ＣＳは、切替本体部材１３３の前端から長手方向中央付近までは概ね円柱状の空間ＣＳ１と、切替本体部材１３３の長手方向中央付近から後端までは切替本体部材１３３と仕切り壁１３３ｃにより外周空間ＣＳ２および内周空間ＣＳ３とからなる二重構造の空間と、で形成されている。
【００３３】
概ね円柱状の空間ＣＳ１は、更に、切替本体部材１３３の底面側から上方に延びるハンドシャワー連通孔１３３ｄと連通している。
ハンドシャワー連通孔１３３ｄは、ハンドシャワー１２０に接続される第二接続管１４２と連通している。
【００３４】
内周空間ＣＳ３は、更に、仕切り壁１３３ｃに形成され切替本体部材１３３の底面側から上方に延びる通気孔１３３ｅと連通している。
この通気孔１３３ｅには、空気流入弁（水密破壊用逆止弁）１３５および空気流入弁抑え１３６が設けられている。
また、内周空間ＣＳ３の後端部には流路切替部材１３０の下流側へ供給される流量を絞る流量絞り部材である逆止弁１３７および逆止弁抑え１３８が設けられている。
【００３５】
ここで、切替本体部材１３３の壁固定部材１３２への固定手順を説明する。
壁固定部材１３２により配管接続基材１３１が壁面Ｗに固定された状態で、壁固定部材１３２の前端フランジ１３２ａに切替本体部材１３３のフランジ部１３３ａを外挿する。
そして、切替本体部材１３３のフランジ部１３３ａと壁固定部材１３２の前端フランジ１３２ａとを螺入させる。
切替本体部材１３３のフランジ部１３３ａと壁固定部材１３２の前端フランジ１３２ａとを螺入させた後、フランジ部１３３ａの正面視側方から止めネジ１３９（図２参照）を挿入して、止めネジ１３９と壁固定部材１３２とを当接させることで切替本体部材１３３と壁固定部材１３２とが固定される。
【００３６】
なお、このように切替本体部材１３３のフランジ部１３３ａと壁固定部材１３２の前端フランジ１３２ａとを螺入させた後に、止めネジ１３９によって切替本体部材１３３を壁固定部材１３２に固定させることで、切替本体部材１３３のフランジ部１３３ａと壁固定部材１３２の前端フランジ１３２ａとに形成されたネジ部が切替本体部材１３３の壁固定部材１３２から脱落防止機構となるため、重量物である切替本体部材１３３が床に落下することを防ぐことができる。
【００３７】
次に操作ハンドル１３４について説明する。
操作ハンドル１３４は、使用者が把持するハンドル本体１３４ａと、ハンドル本体１３４ａに取り付けられた円柱状の軸１３４ｂと、この軸１３４ｂに取付られて切替本体部材１３３と係合して切替本体部材１３３の長手方向を密閉する封止部材１３４ｃと、軸１３４ｂの先端に取り付けられて仕切り壁１３３ｃの前端側の弁座１３３ｆ（図４参照）と当接する概ね円環状の切替弁１３４ｄとを備えている。
さらに、軸１３４ｂの封止部材１３４ｃと切替弁１３４ｄとの間には、切替弁付勢機構である付勢バネ１３４ｅが挿入されている。
【００３８】
切替弁１３４ｄは、弁座１３３ｆだけでなく、封止部材１３４ｃの後端に設けられた弁座１３４ｆにも当接する。
すなわち、切替弁１３４ｄは、操作ハンドル１３４の進退に応じて、切替本体部材１３３の弁座１３３ｆと封止部材１３４ｃの弁座１３４ｆとの間を移動する。
【００３９】
＜１．２．３．流路切替部材の流路構成＞
続いて、流路切替部材１３０の流路について、図３および図４を用いて説明する。
まず、内周空間ＣＳ３と配管接続基材１３１の流出孔１３１ｆとを連通し、第一接続管１４１と連通する流路を第一内部流路Ｌ１とする。
また、空間ＣＳ１と切替本体部材１３３のハンドシャワー連通孔１３３ｄとを連通し、第二接続管１４２と連通する流路を第二内部流路Ｌ２とする。
また、切替本体部材１３３の外周空間ＣＳ２と配管接続基材１３１の流入孔１３１ｇとを連通し、給水管１４３と連通する流路を供給流路Ｌ３とする。
【００４０】
このように構成された流路切替部材１３０の流路において、図４のように、操作ハンドル１３４を操作して切替弁１３４ｄを弁座１３３ｆから離間させて弁座１３４ｆと当接させることで、供給流路Ｌ３と第一内部流路Ｌ１とが接続され、供給流路Ｌ３から第一接続管１４１に渡る第一流路が形成される。
また、図３のように、操作ハンドル１３４を操作して切替弁１３４ｄを弁座１３４ｆから離間させて弁座１３３ｆに当接させることで、供給流路Ｌ３と第二内部流路Ｌ２とが接続され、供給流路Ｌ３から第二接続管１４２に渡る第二流路が形成される。
【００４１】
＜１．３．動作＞
続いて、このように構成された吐水装置１００の動作について説明する。
＜１．３．１．止水時＞
まず、給水源Ｓから湯水Ｈが供給されない止水時について説明する。
このとき、切替弁１３４ｄには、付勢バネ１３４ｅの付勢力と、切替弁１３４ｄと逆止弁１３７との間の湯水の水圧とが作用する。
ここで、付勢バネ１３４ｅの付勢力が切替弁１３４ｄと逆止弁１３７との間の湯水の水圧より大きくなるように設定されている。
したがって、止水時においては、図３のように切替弁１３４ｄは弁座１３３ｆに当接し、第一流路中の水が第二流路に流れることがない。
【００４２】
＜１．３．２．ハンドシャワーからの吐水＞
次に、給水源Ｓから湯水Ｈが供給されている状態において、使用者が操作ハンドル１３４を操作しない場合について説明する。
このとき、切替弁１３４ｄには、付勢バネ１３４ｅの付勢力および第二内部流路Ｌ２内の水圧と、切替弁１３４ｄと逆止弁１３７との間の湯水の水圧とが作用する。
したがって、給水源Ｓから湯水が供給されている状態において、使用者が操作ハンドル１３４を操作しない場合でも、切替弁１３４ｄは弁座１３３ｆに当接し、供給流路Ｌ３と第二内部流路Ｌ２とが接続される。
よって、供給流路Ｌ３から第二接続管１４２に渡る第二流路が形成され、ハンドシャワー１２０から吐水がされる。
このとき、切替弁１３４ｄが弁座１３３ｆに当接しているので、第一流路中の湯水が第二流路に流れることはない。
【００４３】
＜１．３．３．オーバーヘッドシャワーからの吐水＞
次に、給水源Ｓから湯水Ｈが供給されている状態において、使用者が操作ハンドル１３４を引いた場合について説明する。
このとき、使用者の操作力により、切替弁１３４ｄが切替本体部材１３３の弁座１３３ｆから離間し、封止部材１３４ｃの弁座１３４ｆと当接する。
そして、この状態で使用者が操作ハンドル１３４から手を離すと、切替弁１３４ｄには、付勢バネ１３４ｅの付勢力と、第一流路中の水圧とが作用する。
ここで、付勢バネ１３４ｅの付勢力が、第一流路中の水圧より大きくなるように設定されている。
したがって、給水源Ｓから湯水Ｈが供給されている状態において、使用者が操作ハンドル１３４を操作引くと、切替弁１３４ｄは封止部材１３４ｃの弁座１３４ｆに当接し、供給流路Ｌ３と第一内部流路Ｌ１とが接続される。
よって、供給流路Ｌ３から第一接続管１４１に渡る第一流路が形成され、オーバーヘッドシャワー１１０から吐水がされる。
【００４４】
＜１．３．４．逆止弁の効果＞
吐水装置１００の基本的な吐水動作は以上であったが、ここで逆止弁１３７の効果について説明する。
仮に逆止弁１３７が設けられていない場合、止水時にはオーバーヘッドシャワー１１０と切替弁１３４ｄとの間が水密に封される。
このとき、オーバーヘッドシャワー１１０と切替弁１３４ｄとの間の水頭圧により、切替弁１３４ｄが動いてしまい、切替弁１３４ｄが弁座１３３ｆから離間してしまう。
すると、オーバーヘッドシャワー１１０と切替弁１３４ｄとの間の湯水が第二内部流路Ｌ２に流れ込んでしまい、ハンドシャワー１２０から漏水してしまう。
【００４５】
しかしながら、逆止弁１３７を設けることで、切替弁１３４ｄに働く水頭圧が切替弁１３４ｄと逆止弁１３７との間の空間で保持された分の湯水による水頭圧のみとなるため、切替弁１３４ｄが弁座１３３ｆから離間することがない。
したがって、ハンドシャワー１２０からの漏水を抑制することができる。
【００４６】
＜１．３．５．空気流入弁の効果＞
また、本実施形態においては、空気流入弁１３５は、逆止弁１３７と同じく逆止弁を利用している。
前述のように、第一内部流路Ｌ１内に逆止弁１３７を設けると、止水時およびハンドシャワー１２０からの吐水時（切替弁１３４ｄが弁座１３４ｆに当接しているとき）において、切替弁１３４と逆止弁１３７との内周空間ＣＳ３が水密されて水密空間が形成される。
このように内周空間ＣＳ３が水密空間となると、水が非圧縮性流体であるため、体積変化しにくく、操作ハンドル１３４を引いて切替弁１３４ｄを封止部材１３４ｃの弁座１３４ｆまで移動させることが困難となる。
【００４７】
しかしながら、空気流入弁１３５を設けることで、操作ハンドル１３４を引いた時に、空気流入弁１３５が開弁して外気が取り入れられ、これによって内周空間ＣＳ３の水密が破壊される。
よって、操作ハンドル１３４を引くことが加納となり、切替弁１３４ｄを封止部材１３４ｃの弁座１３４ｆまで移動させることができるようになる。
すなわち、本実施形態において、空気流入弁１３５は水密破壊機構として機能する。
【００４８】
＜１．４．作用効果＞
このようにして得られた本発明の第１実施形態である吐水装置１００は、第一接続管１４１と第一内部流路Ｌ１とからなる第一流路中に逆止弁１３７が配置されていることにより、止水した際の第一流路中における残水が逆止弁１３７より上流側に流れず、第一流路中の水頭圧が切替弁１３７に作用しなくなる。
したがって、切替弁付勢機構である付勢バネ１３４ｅおよび切替弁１３４ｄによる第一内部流路Ｌ１の閉塞が維持され、第一流路中の残水が第二吐水部材であるハンドシャワー１２０から漏水することを抑制することができる。
【００４９】
また、逆止弁１３７が、第一内部流路Ｌ１内に配置されていることにより、切替弁１３４ｄと逆止弁１３７とのあいだで形成される空間の体積が、第一接続管１４１内に逆止弁１３７が配置される場合に比べて小さくなる。
したがって、逆止弁１３７が第一接続管１４１内に配置される場合に比べて切替弁１３４ｄに作用する水頭圧が小さくなり、より確実に第一流路中の残水がハンドシャワー１２０から漏水することを抑制することができる。
【００５０】
さらに、流路切替部材１３０が、切替弁１３４ｄの移動に応じて逆止弁１３７と切替弁１３４ｄとのあいだに形成された水密空間を破壊する水密破壊機構を備えていることにより、第一内部流路Ｌ１を開放させる方向に操作ハンドル１３４を動かした際に、水密空間が破壊され、水密空間の膨張に対する反力が生じなくなる。
したがって、第一吐水部材であるオーバーヘッドシャワー１１０からの吐水を選択する際に、付勢バネ１３４ｅによる付勢力よりも大きい力を加えるだけでオーバーヘッドシャワー１１０から吐水が行えるようになり、吐水装置１００の操作性をより向上させることができる。
【００５１】
また、水密破壊機構が、第一流路と流路切替部材１３０の外部とを連通する水密破壊用逆止弁である空気流入弁１３５であることにより、第一内部流路Ｌ１を開放させる方向に操作ハンドル１３４を動かした際に、水密空間へ向かって空気が流入する。
したがって、簡便な構造で、水密空間の水密性を失わせることができる。
【００５２】
＜２．第２実施形態＞
続いて、図５により、本発明の第２実施形態である吐水装置２００について説明する。
第２実施形態の吐水装置２００は、第１実施形態の吐水装置１００の流路切替部材１３０の空気流入弁１３５の構造を変更したものであり、多くの要素について第１実施形態の吐水装置１００と共通するので、共通する事項については詳しい説明を省略し、下２桁が共通する２００番台の符号を付すのみとする。
【００５３】
＜２．１．構成＞
図５は、本発明の第２実施形態である吐水装置の流路切替部材を壁面に取り付けた状態の側面断面図である。
図５に示すように、第２実施形態においても、流路切替部材２３０の切替本体部材２３３の内部に空気流入弁（水密破壊用逆止弁）２３５が設置されている。
【００５４】
空気流入弁２３５は、仕切り壁２３３ｃに形成され切替本体部材２３３の底面側から上方に延びる通気孔２３３ｅより外周側に配置された球体状の閉塞部材２３５ａと、この閉塞部材２３５ａが切替本体部材２３３から脱落することを防ぐ概ね円柱状の閉塞部材抑え２３５ｂとにより構成されている。
そして、閉塞部材抑え２３５ｂの中心付近には、流路切替部材２３０の外部と鉛直方向で連通する連通孔２３５ｃが形成されている。
この連通孔２３５ｃの直径は閉塞部材２３５ａの直径より小さいので、連通孔２３５ｃは閉塞部材２３５ａの自重によって閉塞される。
また、閉塞部材２３５ａは、一端が連通孔２３５ｃと連通し他端が通気孔２３３ｅと連通する案内路２３５ｄ中を上下動する。
【００５５】
＜２．２．動作＞
このように構成された空気流入弁２３５の動作について説明する。
前述のように、第一内部流路Ｌ１内に逆止弁２３７を設けると、止水時およびハンドシャワー２２０からの吐水時（切替弁２３４ｄが弁座２３４ｆに当接しているとき）において、切替弁２３４と逆止弁２３７との内周空間ＣＳ３が水密に封されて水密空間が形成される。
【００５６】
内周空間ＣＳ３が水密空間となると、内周空間ＣＳ３内の水圧により閉塞部材２３５ａが閉塞部材抑え２３５ｂと当接し、連通孔２３５ｃが閉塞される。
また、水が非圧縮性流体であるため、体積変化しにくく、操作ハンドル２３４を引いて切替弁２３４ｄを封止部材２３４ｃの弁座２３４ｆまで移動させることが困難となる。
【００５７】
しかしながら、空気流入弁２３５を設けることで、操作ハンドル２３４を引くと、閉塞部材２３５ａが上方に移動し、連通孔２３５ｃから外気が流入し、これによって内周空間ＣＳ３の水密性が失われる。
よって、操作ハンドル２３４を引くことが可能となり、切替弁２３４ｄを封止部材２３４ｃの弁座２３４ｆまで移動させることができるようになる。
すなわち、本実施形態において、空気流入弁２３５は水密破壊機構として機能する。
【００５８】
＜２．３．作用効果＞
このようにして得られた本発明の第２実施形態である吐水装置２００は、第一接続管２４１と第一内部流路Ｌ１とからなる第一流路中に逆止弁２３７が配置されていることにより、止水した際の第一流路中における残水が逆止弁２３７より上流側に流れず、第一流路中の水頭圧が切替弁２３４ｄに作用しなくなる。
したがって、切替弁付勢機構である付勢バネ２３４ｅおよび切替弁２３４ｄによる第一内部流路Ｌ１の閉塞が維持され、第一流路中の残水が第二吐水部材であるハンドシャワー２２０から漏水することを抑制することができる。
【００５９】
また、逆止弁２３７が、第一内部流路Ｌ１内に配置されていることにより、切替弁２３４ｄと逆止弁２３７とのあいだで形成される空間の体積が、第一接続管２４１内に逆止弁２３７が配置される場合に比べて小さくなる。
したがって、逆止弁２３７が第一接続管２４１内に配置される場合に比べて切替弁２３４ｄに作用する水頭圧が小さくなり、より確実に第一流路中の残水がハンドシャワー２２０から漏水することを抑制することができる。
【００６０】
さらに、流路切替部材２３０が、切替弁２３４ｄの移動に応じて逆止弁２３７と切替弁２３４ｄとのあいだに形成された水密空間を破壊する水密破壊機構を備えていることにより、第一内部流路Ｌ１を開放させる方向に操作ハンドル２３４を動かした際に、水密空間が破壊され、水密空間の膨張に対する反力が生じなくなる。
したがって、第一吐水部材であるオーバーヘッドシャワー２１０からの吐水を選択する際に、付勢バネ２３４ｅによる付勢力よりも大きい力を加えるだけでオーバーヘッドシャワー２１０から吐水が行えるようになり、吐水装置２００の操作性をより向上させることができる。
【００６１】
また、水密破壊機構が、第一流路と流路切替部材２３０の外部とを連通する水密破壊用逆止弁である空気流入弁２３５であることにより、第一内部流路Ｌ１を開放させる方向に操作ハンドル２３４を動かした際に、水密空間へ向かって空気が流入する。
したがって、簡便な構造で、水密空間の水密性を失わせることができる。
【００６２】
さらに空気流入弁２３５が、流路切替部材２３０の外部と鉛直方向で連通する連通孔２３５ｃと、この連通孔２３５ｃを自重により塞ぐ閉塞部材２３５ａと、閉塞部材２３５ａを案内すると共に一端を連通孔２３５ｃと連通する案内路２３５ｄとを有していることにより、止水時には自重および水密空間の水圧により閉塞部材２３５ａが連通孔２３５ｃを閉塞し、切替弁２３７を動かした際には閉塞部材２３５ａが連通孔から離れて連通孔２３５ｃから外気を逆止弁２３７と切替弁２３４ｄとの間に流入させる。
したがって、簡便な構造で水密破壊用の逆止弁を構成することができる。
【００６３】
＜３．第３実施形態＞
続いて、図６により、本発明の第３実施形態である吐水装置３００について説明する。
第３実施形態の吐水装置３００は、第１実施形態の吐水装置１００の流路切替部材１３０の形状を変更したものであり、多くの要素について第１実施形態の吐水装置１００と共通するので、共通する事項については詳しい説明を省略し、下２桁が共通する３００番台の符号を付すのみとする。
【００６４】
＜３．１．構成＞
図６は、本発明の第３実施形態である吐水装置の流路切替部材を壁面に取り付けた状態の側面断面図である。
図６に示すように、切替弁３３４ｄと逆止弁３３７との間に逆止弁３３７と略同じ直径の逆止弁可動空間３３３ｇが形成されている。
この逆止弁可動空間３３３ｇは、逆止弁３３７より上流側に形成されており、逆止弁３３７は逆止弁可動空間３３３ｇ内、すなわち第一流路Ｌ１内を摺動する可能となっている。
【００６５】
そして、この逆止弁可動空間３３３ｇ内には、逆止弁付勢バネ３３３ｈが配置されている。
この逆止弁付勢バネ３３３ｈは円筒形状のバネであり、一端が逆止弁３３７、他端が切替部材本体３３３の内周空間ＣＳ３に形成された座３３３ｉと当接している。
なお、この逆止弁付勢バネ３３３ｈは、付勢力が逆止弁３３７の摺動抵抗および第一接続管３４１内の水頭圧による逆止弁３３７への付勢力より大きくなるような材料（あるいは形状）で作製されている。
【００６６】
＜３．２．動作＞
このように構成された吐水装置３００において、第一内部流路Ｌ１内に逆止弁３３７を設けると、止水時およびハンドシャワー３２０からの吐水時（切替弁３３４ｄが弁座３３４ｆに当接しているとき）において、切替弁３３４ｄと逆止弁３３７との内周空間ＣＳ３が水密に封されて水密空間が形成される。
【００６７】
このとき、水が非圧縮性流体であるため、体積変化しにくく、操作ハンドル３３４を引いて切替弁３３４ｄを封止部材３３４ｃの弁座３３４ｆまで移動させることが困難となる。
【００６８】
しかしながら、逆止弁付勢バネ３３３ｈを設けることで、操作ハンドル３３４を引くと、逆止弁３３７が操作ハンドル３３４の方向に付勢され、逆止弁可動空間３３３ｈ内を摺動しようとする。
このとき、逆止弁付勢バネ３３３ｈが縮み、逆止弁３３７が操作ハンドル３３４に向かって摺動する。
【００６９】
そうすると、切替弁３３４ｄと逆止弁３３７との内周空間ＣＳ３自体も操作ハンドル３３４側に動くため、内周空間ＣＳ３と外周空間ＣＳ２とが連通する。
これにより、内周空間ＣＳ３の水密性が失われ、操作ハンドル３３４を引くことが可能となる。
したがって、切替弁３３４ｄを封止部材３３４ｃの弁座３３４ｆまで移動させることができるようになる。
すなわち、本実施形態において、逆止弁付勢バネ３３３ｈは水密破壊機構として機能する。
【００７０】
なお、逆止弁付勢バネ３３３ｈの付勢力が、逆止弁３３７の摺動抵抗および第一接続管３４１内の水頭圧による逆止弁３３７への付勢力より大きいことにより、ハンドシャワー３２０から吐水している最中、すなわち、切替弁３３４ｄと逆止弁３３７との内周空間ＣＳ３が水密されて水密空間が形成されている最中に、第一接続管３４１内の水頭圧によって逆止弁３３７が摺動することがないため、水密空間を保持することができる。
【００７１】
＜３．３．作用効果＞
このようにして得られた本発明の第３実施形態である吐水装置３００は、第一接続管３４１と第一内部流路Ｌ１とからなる第一流路中に逆止弁３３７が配置されていることにより、止水した際の第一流路中における残水が逆止弁３３７より上流側に流れず、第一流路中の水頭圧が切替弁に作用しなくなる。
したがって、切替弁付勢機構である付勢バネ３３４ｅおよび切替弁による第一内部流路Ｌ１の閉塞が維持され、第一流路中の残水が第二吐水部材であるハンドシャワー３２０から漏水することを抑制することができる。
【００７２】
また、逆止弁３３７が、第一内部流路Ｌ１内に配置されていることにより、切替弁３３４ｄと逆止弁３３７とのあいだで形成される空間の体積が、第一接続管３４１内に逆止弁３３７が配置される場合に比べて小さくなる。
したがって、逆止弁３３７が第一接続管３４１内に配置される場合に比べて切替弁３３３４ｄに作用する水頭圧が小さくなり、より確実に第一流路中の残水がハンドシャワー３２０から漏水することを抑制することができる。
【００７３】
さらに、流路切替部材３３０が、切替弁３３４ｄの移動に応じて逆止弁３３７と切替弁３３４ｄとのあいだに形成された水密空間を破壊する水密破壊機構を備えていることにより、第一内部流路Ｌ１を開放させる方向に操作ハンドル３３４を動かした際に、水密空間が破壊され、水密空間の膨張に対する反力が生じなくなる。
したがって、第一吐水部材であるオーバーヘッドシャワー３１０からの吐水を選択する際に、付勢バネ３３４ｅによる付勢力よりも大きい力を加えるだけでオーバーヘッドシャワー３１０から吐水が行えるようになり、吐水装置３００の操作性をより向上させることができる。
【００７４】
また、逆止弁３３７が、第一流路内を摺動自在であることにより、切替弁３３４ｄを動かした際に、逆止弁３３７が摺動して供給流路Ｌ３と第一流路とが連通される。
したがって、新しい部材を設けることなく、逆止弁３３７と切替弁３３４ｄとのあいだの水密空間の水密性を失わせることができる。
【００７５】
さらに、逆止弁３３７の位置を保持する逆止弁付勢バネ３３３ｈが、第一内部流路Ｌ１内に配置され、逆止弁付勢バネ３３３ｈの付勢力が、逆止弁３３７の摺動抵抗および第一接続管３４１内の水頭圧より大きいことにより、逆止弁３３７の摺動によって供給流路Ｌ３と第一流路とが連通した後に第一流路への湯水の供給を止めると、逆止弁付勢バネ３３３ｈの付勢力によって逆止弁３３７が所定の保持位置に戻る。
したがって、繰り返して逆止弁３３７と切替弁３３４ｄとのあいだの水密空間の水密性を失わせることができる。
【００７６】
＜４．変形例＞
以上、本発明を実施するための形態について説明したが、本発明は上記に限定されるものではない。
【００７７】
例えば、本発明を実施するための形態では、吐水装置がオーバーヘッドシャワーとハンドシャワーとを備えていたが、更にカランを備えるものであってもよい。
【００７８】
また、第一吐水部材であるオーバーヘッドシャワーは、壁面に固定されており、かつ、使用者の頭上に湯水を降り注がせるものであれば、如何なるものであってもよく、浴室の天井に取り付けられて使用者に向かって吐水するものであってもよいし、浴室の立壁面から突出して使用者の頭上に向かって吐水するものであってもよい。
【００７９】
また、第二吐水部材であるハンドシャワーは、使用者が把持して使用するものであれば、形状や吐水形態は如何なるものであってもよい。
【００８０】
また、前述した実施形態が備える各要素は技術的に可能である限り組み合わせることができ、これらを組み合わせたものも本発明の特徴を含む限り本発明の範囲に包含される。
【符号の説明】
【００８１】
１００    ・・・  吐水装置
１１０    ・・・  オーバーヘッドシャワー（第一吐水部材）
１２０    ・・・  ハンドシャワー（第二吐水部材）
１３０    ・・・  流路切替部材
１３１    ・・・  配管接続基材
１３１ａ  ・・・  フランジ部
１３１ｂ  ・・・  流路部
１３１ｃ  ・・・  壁面挿入部
１３１ｄ  ・・・  突出部
１３１ｅ  ・・・  被締結孔
１３１ｆ  ・・・  流出孔
１３１ｇ  ・・・  流入孔
１３２    ・・・  壁固定部材
１３２ａ  ・・・  前端フランジ
１３２ｂ  ・・・  後端フランジ
１３２ｃ  ・・・  貫通孔
１３３    ・・・  切替本体部材
１３３ａ  ・・・  フランジ部
１３３ｂ  ・・・  係合部
１３３ｃ  ・・・  仕切り壁
１３３ｄ  ・・・  ハンドシャワー連通孔
１３３ｅ  ・・・  通気孔
１３３ｆ  ・・・  弁座
１３４    ・・・  操作ハンドル
１３４ａ  ・・・  ハンドル本体
１３４ｂ  ・・・  軸
１３４ｃ  ・・・  封止部材
１３４ｄ  ・・・  切替弁
１３４ｅ  ・・・  付勢バネ（切替弁付勢機構）
１３４ｆ  ・・・  弁座
１３５    ・・・  空気流入弁（水密破壊用逆止弁）
１３６    ・・・  空気流入弁抑え
１３７    ・・・  流量絞り部材（逆止弁）
１３８    ・・・  逆止弁抑え
１３９    ・・・  止めネジ
１４０    ・・・  配管
１４１    ・・・  第一接続管
１４２    ・・・  第二接続管  
１４３    ・・・  給水管
２００    ・・・  吐水装置
２３０    ・・・  流路切替部材
２３３    ・・・  切替本体部材
２３３ｃ  ・・・  仕切り壁
２３３ｅ  ・・・  通気孔
２３４    ・・・  操作ハンドル
２３４ｃ  ・・・  封止部材
２３４ｄ  ・・・  切替弁
２３４ｅ  ・・・  付勢バネ（切替弁付勢機構）
２３４ｆ  ・・・  弁座
２３５    ・・・  空気流入弁（水密破壊用逆止弁）
２３５ａ  ・・・  閉塞部材
２３５ｂ  ・・・  閉塞部材抑え
２３５ｃ  ・・・  連通孔
２３５ｄ  ・・・  案内路
２３７    ・・・  逆止弁
３００    ・・・  吐水装置
３３０    ・・・  流路切替部材
３３３    ・・・  切替本体部材
３３３ｃ  ・・・  仕切り壁
３３３ｇ  ・・・  逆止弁可動空間
３３３ｈ  ・・・  逆止弁付勢バネ
３３３ｉ  ・・・  座
３３４    ・・・  操作ハンドル
３３４ｃ  ・・・  封止部材
３３４ｄ  ・・・  切替弁
３３４ｅ  ・・・  付勢バネ（切替弁付勢機構）
３３４ｆ  ・・・  弁座
３３７    ・・・  逆止弁（流量絞り弁）
Ｂ      ・・・  基部
Ｃ      ・・・  流路切替部
ＣＳ    ・・・  開口空間
ＣＳ１  ・・・  空間
ＣＳ２  ・・・  外周空間
ＣＳ３  ・・・  内周空間
Ｌ１    ・・・  第一内部流路
Ｌ２    ・・・  第二内部流路
Ｌ３    ・・・  供給流路
Ｈ      ・・・  湯水
Ｓ      ・・・  給水源
Ｐ１    ・・・  環状パッキン
Ｐ２    ・・・  環状パッキン
Ｗ      ・・・  壁面
Ｗｈ    ・・・  開口
【図１】
0006578623.tif 000002
【図２】
0006578623.tif 000003
【図３】
0006578623.tif 000004
【図４】
0006578623.tif 000005
【図５】
0006578623.tif 000006
【図６】
0006578623.tif 000007